(57)【要約】  【課題】  糸の一部を挿入または、かざすだけで繊度すなわちデニール値が即座に分かるようにし、繊度測定のための時間と労力と糸の無駄を省くことができるようにする。  【解決手段】  糸の外径値または糸の外径に応じた値を出力する外径検知装置（１）と、該外径検知装置から出力された前記外径値または外径に応じた値を平方しかつ該平方した値にデニール値を求めるための所定の定数を乗じてデニール値を算出する演算装置（２）と、前記算出したデニール値を表示する表示装置（２）とを備える。糸の外径値または糸の外径に応じた値としては、糸の多点における外径の平均値あるいは糸のある長さにわたった平均的外径値を用いることもできる。  【選択図】      図１
2005187970.tif 000002
【特許請求の範囲】
【請求項１】
糸の外径値または糸の外径に応じた値を出力する外径検知装置と、
該外径検知装置から出力された前記外径値または外径に応じた値を平方しかつ該平方した値にデニール値を求めるための所定の定数を乗じてデニール値を算出する演算装置と、
前記算出したデニール値を表示する表示装置と、
を具備することを特徴とする繊度測定装置。
【請求項２】
前記外径検知装置は複数の点において糸の外径値または糸の外径に応じた値を検知する手段と前記複数の点において検知した糸の外径値または糸の外径に応じた値の平均値を求める手段とを備え、前記平均値を平方しかつ該平方した値にデニール値を求めるための所定の定数を乗じてデニール値を算出することを特徴とする請求項１に記載の繊度測定装置。
【請求項３】
前記外径検知装置は糸のある長さにわたる平均的外径値または糸の平均的外径に応じた値を求める手段を備え、前記糸の平均的外径値または糸の平均的外径に応じた値を平方しかつ該平方した値にデニール値を求めるための所定の定数を乗じてデニール値を算出することを特徴とする請求項１に記載の繊度測定装置。
【請求項４】
糸の外径値または糸の外径に応じた値を求め、前記糸の外径値または糸の外径に応じた値を平方しかつ該平方した値にデニール値を求めるための所定の定数を乗じてデニール値を算出することを特徴とする繊度測定方法。
【請求項５】
糸の平均外径値または糸の平均外径に応じた値を求め、前記糸の平均外径値または糸の平均外径に応じた値を平方しかつ該平方した値にデニール値を求めるための所定の定数を乗じてデニール値を算出することを特徴とする請求項４に記載の繊度測定方法。
【発明の詳細な説明】
【技術分野】
【０００１】
本発明は、繊度測定装置および方法に関し、例えば生糸などの糸の繊度すなわちデニール値を迅速かつ高い測定精度で求める技術に関するものである。
【背景技術】
【０００２】
従来は、糸のデニール値を測定するためには、検尺器によりデニール値を測定すべき糸を一定長採取し、採取した糸の重量を測定して糸長と重量との関係からデニール値を算出していた。糸のデニール値は９０００メートル当りの重量（グラム数）で表示されるため、一定長さの糸の重量を測定すればデニール値を算出することができた。
【０００３】
あるいは、簡単にデニール値を求める方法として、糸の外径値に定数を乗じてデニール値を求める方法が知られている。また、糸の外径、従って糸の太さ、を検知する装置としては種々のものが知られており、繰糸機、その他に使用されている。
【特許文献１】特開２００３−１０４６２７号公報
【特許文献２】特開平０５−０９２０９０号公報
【発明の開示】
【発明が解決しようとする課題】
【０００４】
しかしながら、上述の従来の方法の内、糸を一定長採取しその重量を測定して糸長と重量との関係からデニール値を算出する方法にあっては、作業者が検尺器を用いて、かせまたはボビンから繊度を測定するための糸、すなわち繊度糸、を一定長採取する必要があった。この繊度糸の採取作業は相当な労力を要する上に、採取した糸は、繊度測定後はくず糸となるため、これによる経済的損失が大きなものとなっている。さらに、糸の取引現場や製糸工場などにおいて糸の繊度を即座に知る必要が生じても繊度糸の採取に時間がかかるため、迅速な測定ができないなどの不都合があった。
【０００５】
また、上述の糸の外径値に定数を乗じてデニール値を求める方法は定数のデニール値に対する適用範囲が極めて狭く、精度も劣るため、実用に適しないなどの不都合があった。
【０００６】
本発明の目的は、このような従来技術における問題点に鑑み、糸を切断採取することなく、かせやボビンに巻かれた状態のまま、高い測定精度で即座に繊度を測定するための装置および方法を提供することにある。
【課題を解決するための手段】
【０００７】
本発明の一態様によれば、糸の外径値または糸の外径に応じた値を出力する外径検知装置と、該外径検知装置から出力された前記外径値または外径に応じた値を平方しかつ該平方した値にデニール値を求めるための所定の定数を乗じてデニール値を算出する演算装置と、前記算出したデニール値を表示する表示装置と、を具備することを特徴とする繊度測定装置が提供される。
【０００８】
前記外径検知装置は複数の点において糸の外径値または糸の外径に応じた値を検知する手段と前記複数の点において検知した糸の外径値または糸の外径に応じた値の平均値を求める手段とを備え、前記平均値を平方しかつ該平方した値にデニール値を求めるための所定の定数を乗じてデニール値を算出すると好都合である。
【０００９】
また、前記外径検知装置は糸のある長さにわたる平均的外径値または糸の平均的外径に応じた値を求める手段を備え、前記糸の平均的外径値または糸の平均的外径に応じた値を平方しかつ該平方した値にデニール値を求めるための所定の定数を乗じてデニール値を算出することもできる。
【００１０】
本発明の別の態様によれば、糸の外径値または糸の外径に応じた値を求め、前記糸の外径値または糸の外径に応じた値を平方しかつ該平方した値にデニール値を求めるための所定の定数を乗じてデニール値を算出することを特徴とする繊度測定方法が提供される。
【００１１】
この場合、糸の平均外径値または糸の平均外径に応じた値を求め、前記糸の平均外径値または糸の平均外径に応じた値を平方しかつ該平方した値にデニール値を求めるための所定の定数を乗じてデニール値を算出すると好都合である。
【発明の効果】
【００１２】
このように構成すれば、糸の繊度を測定するためにわざわざ糸を切断採取する必要がなく、かせやボビンに巻かれた状態のままでむだ糸を生ずることなく即座に繊度すなわちデニール値を測定することができる。しかも、糸のデニール値は９０００メートル当りの重量（グラム数）で表示され、該重量は糸の体積に比例し、体積は糸の断面積に比例することから、本発明で提案した糸の外径値または糸の外径に応じた値の平方値に定数を乗じてデニール値を求める方法は、より理にかなっており、デニール値をより高い測定精度で求めることが可能になる。
【発明を実施するための最良の形態】
【００１３】
以下、図面を参照して本発明の好ましい実施形態につき説明する。図１は、本発明の一実施形態に係わる繊度測定装置の概略の構成を示す。同図に示す繊度測定装置は、外径検知装置１および演算表示装置２を備えている。外径検知装置１は、繊度を測定すべき生糸などの糸４を所定の経路に沿って配置しかつ必要に応じて走行させるための略Ｖ字状の切り込み部分を備えて構成される案内部３と、該案内部３に沿って配置された糸４の外径を検知するための検知部５を備えている。
【００１４】
この実施形態では、外径検知装置１は、例えば半導体レーザ式センサを応用して糸の外径を検知するものである。図には詳細に示されていないが、検知部５は糸４を挟んで対向配置された半導体レーザによる投光部と該レーザ光を受光する受光部を備えている。投光部によって糸４に対して照射されたレーザ光を受光部によって受光することにより、レーザ光の発光エリア内の糸の影が受光部において光量変化として捉えられ糸の外径に応じた値が例えばデジタル信号として出力される。
【００１５】
演算表示装置２は、外径検知装置１から送られた糸４の外径の計測値を平方し、該平方値に予め設定された定数を乗じてデニール値を算出し、このデニール値を表示するものであり、この実施形態では、演算装置と表示装置とが一体化した構造になっている。但し、これらの構成要素は一体化しなくてもよい。また、外径検知装置１および演算表示装置２を含めて、各構成要素を任意の態様の組み合わせで構成することができる。
【００１６】
前述のように、糸のデニール値は９０００メートル当りの重量（グラム数）で表示され、該重量は糸の体積に比例し、体積は糸の断面積に比例する。したがって、外径検知装置１から得られる糸４の外径値または外径に応じた値を平方した平方値はデニール値に比例する。したがって、外径検知装置１から出力される糸４の外径値または外径に応じた値に乗算すべき定数を予め定めておき、この定数を演算表示装置２に設定し記憶させておくことにより、任意の太さの糸のデニール値を即座にかつ高い測定精度で求めることが可能になる。
【００１７】
なお、図１の実施形態に示す外径検知装置１は半導体レーザを使用した非接触式の外径検知装置であるが、これに代えて例えばマイクロメータのような接触式の外径測定装置を使用してもよい。あるいは、任意の他の形式の非接触式の外径検知装置を用いることもできる。
【００１８】
さらに、本実施形態では、外径検知装置１の検知部５は糸４のある長さにわたった平均的外径値を検出するものとなっている。これは、例えば投光部の光源がある幅を有し、かつ受光部の受光素子も所定の幅を有するものとすることによって構成できる。このように、糸のある長さにわたった平均的外径値を検出するものの方が、糸の一点における外径値を検出するものよりも測定精度を向上させることができる。あるいは、糸の複数点における外径の平均値を使用してもよい。
【００１９】
図２は、図１の繊度測定装置の回路構成の一例を示す。図２の構成では、糸２０を挟んで対向して配置された発光素子２１ａと受光素子２１ｂからなる検知部２１が設けられている。検知部２１の発光素子２１ａおよび受光素子２１ｂは糸２０の長さ方向に沿ってある幅を有し、糸２０の平均的外径値を検出するものである。図２の構成では、さらに、発光素子２１ａに発光用電源を供給する電源装置２２、受光素子２１ｂの出力をアナログ／デジタル変換するＡ／Ｄ変換器２３、マイクロプロセッサのような中央処理装置（ＣＰＵ）２４、リードオンリメモリ（ＲＯＭ）２５、ランダムアクセスメモリ（ＲＡＭ）２６、入出力インタフェース（Ｉ／Ｏ）２７、および表示部２８を備えている。
【００２０】
このような構成においては、糸２０の所定幅にわたり発光素子２１ａから光が照射され、この光を発光素子２１ａと例えばほぼ同じ検知幅を有する受光素子２１ｂで受光する。これによって、受光素子２１ｂから、糸２０の所定の測定幅にわたる平均的外径値に応じた信号が出力される。この信号がＡ／Ｄ変換器２３によってデジタル信号に変換され、ＣＰＵ２４に供給される。ＣＰＵ２４はＲＯＭ２５に記憶されたプログラムに従って動作し、Ａ／Ｄ変換器２３から入力された糸２０の外径値または外径に応じた値を平方し、かつ前記所定の定数を乗算してデニール値を算出し、ＲＡＭ２６に一時記憶すると共に、Ｉ／Ｏ２７を介して表示部２８に送る。これによって、表示部２８はデニール値を表示することができる。なお、図２の構成において、ＣＰＵ２４および表示部２８などを含む部分を、汎用のパーソナルコンピュータ（パソコン）によって実現することもできる。
【００２１】
図３は、本発明に係わる繊度測定装置の他の回路構成例を示す。図３の構成は、図２のものと比較して、検知部３１が糸３０の一点における、あるいは狭い幅における外径を検出するものとなっている。その他の部分は図２の構成と同様のものでよい。
【００２２】
図３の構成例では、糸３０の一点における外径値または外径に応じた値が、ＣＰＵ３４において平方され、かつ所定の値を乗算してデニール値が求められる。また、必要に応じて、糸３０を移動し、多点におけるデニール値を順次表示部３８に表示してもよい。あるいは、糸３０を所定の範囲にわたり走行させ、走行範囲における糸３０の外径値または外径に応じた値をＣＰＵ３４において平均して平均値を求め、この平均値に基づきデニール値を算出してもよい。
【００２３】
図４は、本発明に係わる繊度測定装置のさらに他の回路構成例を示す。同図の構成例では、検知部４１が、糸４０の長さ方向に沿って該糸４０を挟んで対向配置された複数対の発光素子４１ａおよび受光素子４１ｂを備えている。各受光素子４１ｂの出力は加算部４９に供給されて加算され、糸４０の複数点における外径値に対応する値を加算した値、従って複数点における糸の外径値を平均した値に対応する信号が得られる。この信号をＡ／Ｄ変換器４３を介してＣＰＵ４４に入力し、前述のように平方および所定の定数の乗算を行なってデニール値を算出し、表示部４８に表示する。この構成例では、糸４０の複数の任意の点におけるまた任意の範囲における外径の平均値に基づきデニール値を算出することができる。
【産業上の利用可能性】
【００２４】
本発明は、生糸その他の糸の検査、糸の品質管理、その他を必要とする、糸の検査現場、糸の取引現場や製糸工場などにおいて糸の繊度を即座に測定する装置、その他に適用可能である。
【図面の簡単な説明】
【００２５】
【図１】本発明の一実施形態に係わる繊度測定装置の概略の構成を示す外観図である。
【図２】本発明に係わる繊度測定装置の回路構成の一例を示すブロック図である。
【図３】本発明に係わる繊度測定装置の回路構成の別の例を示すブロック図である。
【図４】本発明に係わる繊度測定装置の回路構成のさらに別の例を示すブロック図である。
【符号の説明】
【００２６】
１  外径検知装置
２  演算表示装置
３  案内部
４，２０，３０，４０  糸
５，２１，３１，４１  検知部
２１ａ，３１ａ，４１ａ  発光素子
２１ｂ，３１ｂ，４１ｂ  受光素子
２２，３２，４２  電源部
２３，３３，４３  Ａ／Ｄ変換器
２４，３４，４４  ＣＰＵ
２５，３５，４５  ＲＯＭ
２６，３６，４６  ＲＡＭ
２７，３７，４７  入出力インタフェース
２８，３８，４８  表示部
【図１】
2005187970.tif 000003
【図２】
2005187970.tif 000004
【図３】
2005187970.tif 000005
【図４】
2005187970.tif 000006